(57)【要約】【課題】測定コストを低減できる光ファイバネットワークの測定システム及びその測定方法を提供する。【解決手段】本発明に係る光ファイバネットワークの測定システムは、複数の光ネットワークユニットと一つの光伝送路終端装置とを有する光ファイバネットワークの測定システムであって、データ信号と制御信号とを発生するとともに、前記データ信号を前記複数の光ネットワークユニットに送信する信号発生装置と、前記制御信号を受信するとともに、第１時間で前記制御信号を前記複数の光ネットワークユニットの一つに送信し、第２時間で前記制御信号を前記複数の光ネットワークユニットの他の一つに送信する信号分配装置と、前記光伝送路終端装置に電気的に接続され、前記光ネットワークユニットが前記制御信号を受信してから、前記データ信号を前記光伝送路終端装置に送信した後、前記光伝送路終端装置が受信した前記データ信号に測定を行う測定装置とを備える。【選択図】図２
2007132945.tif 000002
【特許請求の範囲】
【請求項１】
複数の光ネットワークユニットと一つの光伝送路終端装置とを有する光ファイバネットワークの測定システムであって、
データ信号と制御信号とを発生するとともに、前記データ信号を前記複数の光ネットワークユニットに送信する信号発生装置と、
前記制御信号を受信するとともに、第１時間で前記制御信号を前記複数の光ネットワークユニットの一つに送信し、第２時間で前記制御信号を前記複数の光ネットワークユニットの他の一つに送信する信号分配装置と、
前記光伝送路終端装置に電気的に接続され、前記光ネットワークユニットが前記制御信号を受信してから、前記データ信号を前記光伝送路終端装置に送信した後、前記光伝送路終端装置が受信した前記データ信号に測定を行う測定装置とを備えることを特徴とする
光ファイバネットワークの測定システム。
【請求項２】
前記信号発生装置は、パルス発生器であることを特徴とする
請求項１に記載の光ファイバネットワークの測定システム。
【請求項３】
前記信号分配装置は、複数のフリップフロップを有するシフトレジスターであり、前記複数のフリップフロップの出力端子が前記複数の光ネットワークユニットにそれぞれ対応することを特徴とする
請求項１に記載の光ファイバネットワークの測定システム。
【請求項４】
前記光ファイバネットワークは、受動型光ファイバネットワークであることを特徴とする
請求項１に記載の光ファイバネットワークの測定システム。
【請求項５】
前記測定装置は、エラーディテクタであることを特徴とする
請求項１に記載の光ファイバネットワークの測定システム。
【請求項６】
前記測定装置は、前記光伝送路終端装置が受信した前記データ信号に基づき、前記光ファイバネットワークの受信感度を判定することを特徴とする
請求項１に記載の光ファイバネットワークの測定システム。
【請求項７】
前記測定装置は、前記光伝送路終端装置が受信した前記データ信号に基づき、前記光ファイバネットワークのビットエラーレートを判定することを特徴とする
請求項１に記載の光ファイバネットワークの測定システム。
【請求項８】
前記信号発生装置は、さらに、クロック信号を発生し前記信号分配装置に送信することを特徴とする
請求項１に記載の光ファイバネットワークの測定システム。
【請求項９】
前記信号発生装置と前記信号分配装置との間に接続され、前記クロック信号に周波数を分割してから、前記信号分配装置に送信する周波数分割装置をさらに備えることを特徴とする
請求項８に記載の光ファイバネットワークの測定システム。
【請求項１０】
複数の光ネットワークユニットと一つの光伝送路終端装置とを有する光ファイバネットワークの測定方法であって、
前記複数の光ネットワークユニットにデータ信号をそれぞれ提供するステップと、
第１時間で、制御信号を提供し前記光ネットワークユニットの一つに送信するとともに、前記光ネットワークユニットの一つが前記データ信号を前記光伝送路終端装置に伝送するステップと、
第２時間で、前記制御信号を前記光ネットワークユニットの他の一つに送信するとともに、前記光ネットワークユニットの該他の一つが前記データ信号を前記光伝送路終端装置に伝送するステップと、
前記光伝送路終端装置が受信した前記データ信号を測定するステップとを含むことを特徴とする
光ファイバネットワークの測定方法。
【請求項１１】
前記制御信号を前記複数の光ネットワークユニットに提供する前記ステップにおいて、
シフトレジスターによって前記制御信号を提供することを特徴とする
請求項１０に記載の光ファイバネットワークの測定方法。
【請求項１２】
前記光ファイバネットワークは、受動型光ファイバネットワークであることを特徴とする
請求項１０に記載の光ファイバネットワークの測定方法。
【請求項１３】
前記光伝送路終端装置が受信した前記データ信号を測定する前記ステップにおいて、
エラーディテクタによって前記データ信号を測定することを特徴とする
請求項１０に記載の光ファイバネットワークの測定方法。
【請求項１４】
前記光伝送路終端装置が受信した前記データ信号を測定する前記ステップにおいて、
前記データ信号に基づき、前記光ファイバネットワークの受信感度を判定することを特徴とする
請求項１０に記載の光ファイバネットワークの測定方法。
【請求項１５】
前記光伝送路終端装置が受信した前記データ信号を測定する前記ステップにおいて、
前記データ信号に基づき、前記光ファイバネットワークのビットエラーレートを判定することを特徴とする
請求項１０に記載の光ファイバネットワークの測定方法。
【発明の詳細な説明】
【技術分野】
【０００１】
本発明は、光ファイバネットワークの測定システム及びその測定方法に関し、特に測定コストを低減できる光ファイバネットワークの測定システム及びその測定方法に関する。
【背景技術】
【０００２】
インターネットの急速な発展とともに、帯域に対する需要量も大幅に増加する。このため、広帯域を有する光ファイバネットワークがネットワーク帯域の解決方法として注目されている。
【０００３】
図１は、従来の光ファイバネットワーク１の測定システムを示すブロック図である。光ファイバネットワーク１は、一般には、点対多点(P2MP)の構造を有する受動型光ファイバネットワーク(Passive Optical Network, PON)である。図１に示すように、光ファイバネットワーク１は、複数の光ネットワークユニット(Optical Network Unit, ONU)１１と、光伝送路終端装置(Optical Line Terminal, OLT)１２とを備える。  
なお、光ファイバネットワーク１は、例えば、時分割多重化(Time Division Multiple Access, TDMA)方式を採用する。この場合に、これらの光ネットワークユニット１１が登録された後、専属の送信時間として、それぞれ一つのタイムスロット(Time Slot)が割り当てられ、このようにして、各光ネットワークユニット１１が専属のタイムスロットのみで、パケットを送信するため、データの衝突の発生を回避する。
【０００４】
そして、光ファイバネットワーク１にテスト(例えば、ビットエラーレート、受信感度など)を行う際に、通常、各光ネットワークユニット１１に信号発生装置１３を配置することにより、制御信号１３１とデータ信号１３２とを提供するとともに、両者を同期してこれらの光ネットワークユニット１１に送信する。なお、光ネットワークユニット１１は、制御信号１３１によってデータ信号１３２を光信号１３１'に変換して光伝送路終端装置１２に伝送する。そして、光伝送路終端装置１２に測定装置１４を接続して配置する。光伝送路終端装置１２は、光ネットワークユニット１１から伝送した光信号１３１'を受信した後、こられの光信号１３１'に対応した電気信号１３１''に変換してから、測定装置１４によってこれらの電気信号１３１''を測定することにより、光ファイバネットワーク１の受信感度とビットエラーレートを判定する。
【発明の開示】
【発明が解決しようとする課題】
【０００５】
しかし、上述した測定方式では、複数の信号発生装置１３により、それぞれ制御信号１３１とデータ信号１３２を発生して測定を行うため、光ファイバネットワーク１が、例えば、３２個の光ネットワークユニット１１を有する場合に、３２個の信号発生装置１３が必要となる。なお、信号発生装置１３が高価なものであるため、全体の測定コストが高くなる。
【０００６】
本発明は、上記問題を鑑みてなされたものであり、測定コストを低減できる光ファイバネットワークの測定システム及びその測定方法を提供することを目的とする。
【課題を解決するための手段】
【０００７】
本発明に係わる光ファイバネットワークの測定システムは、複数の光ネットワークユニットと一つの光伝送路終端装置とを有する光ファイバネットワークの測定システムであって、データ信号と制御信号とを発生するとともに、前記データ信号を前記複数の光ネットワークユニットに送信する信号発生装置と、前記制御信号を受信するとともに、第１時間で前記制御信号を前記複数の光ネットワークユニットの一つに送信し、第２時間で前記制御信号を前記複数の光ネットワークユニットの他の一つに送信する信号分配装置と、前記光伝送路終端装置に電気的に接続され、前記光ネットワークユニットが前記制御信号を受信してから、前記データ信号を前記光伝送路終端装置に送信した後、前記光伝送路終端装置が受信した前記データ信号の測定を行う測定装置とを備える。
【０００８】
本発明に係わる光ファイバネットワークの測定方法は、複数の光ネットワークユニットと一つの光伝送路終端装置とを有する光ファイバネットワークの測定方法であって、前記複数の光ネットワークユニットにデータ信号をそれぞれ提供するステップと、第１時間で、制御信号を提供し前記光ネットワークユニットの一つに送信するとともに、前記光ネットワークユニットの一つが前記データ信号を前記光伝送路終端装置に伝送するステップと、第２時間で、前記制御信号を前記光ネットワークユニットの他の一つに送信するとともに、前記光ネットワークユニットの他の一つが前記データ信号を前記光伝送路終端装置に伝送するステップと、前記光伝送路終端装置が受信した前記データ信号を測定するステップとを含む。
【発明の効果】
【０００９】
本発明の光ファイバネットワークの測定システム及びその測定方法によれば、前記信号分配装置は、前記データ信号に対応した制御信号を発生するとともに、異なるタイムスロットで前記制御信号を前記光ネットワークユニットの一つに送信することにより、前記データ信号を前記光伝送路終端装置に伝送するように前記光ネットワークユニットの一つを制御し、時分割多重化伝送方式を模擬する。また、前記測定装置は、前記光伝送路終端装置が受信した前記データ信号を測定することにより、前記光ファイバネットワークのビットエラーレートと受信感度を判定するため、従来の技術と比較して、本発明の光ファイバネットワークの測定システム及びその測定方法は、ただ一つの信号発生装置で、前記光ファイバネットワークに測定を行うため、測定コストを全体に低減することができる。
【発明を実施するための最良の形態】
【００１０】
以下、図面を参照しながら、本発明の好適な実施例における光ファイバネットワークの測定システム及びその測定方法について説明する。
【００１１】
図２は、本発明の好適な実施例における光ファイバネットワーク３の測定システム２を示すブロック図である。図２に示すように、光ファイバネットワーク３は、受動型光ファイバネットワーク(Passive Optical Network, PON)であり、複数の光ネットワークユニットONU１〜ONUｎと、一つの光伝送路終端装置OLTとを有する。光ネットワークユニットONU１〜ONUｎは、長さの異なる複数本の光ファイバによって光伝送路終端装置OLTに接続されることにより、光ファイバネットワーク３を構成する。
【００１２】
本実施例の測定システム２は、光ファイバネットワーク３の受信感度とビットエラーレートを測定することができる。測定システム２は、信号発生装置２１と、測定装置２２と、信号分配装置２３とを備える。信号発生装置２１は、パルスパターンジェネレータ(Pulse Pattern Generator, PPG)であり、データ信号３１と制御信号３２とクロック信号３３とを発生するために設けられる。信号発生装置２１は、光ネットワークユニットONU１〜ONUｎに接続され、データ信号３１と制御信号３２を光ネットワークユニットONU１〜ONUｎに提供するために設けられる。なお、データ信号３１は、テスト用のデータ信号とする。制御信号３２は、光ネットワークユニットONU１〜ONUｎを駆動するために用いられる。光ネットワークユニットONU１〜ONUｎが制御信号３２を受信すると、データ信号３１を光信号３１'に変換することにより、光ファイバを介して光信号３１'を光伝送路終端装置OLTに伝送する。また、光伝送路終端装置OLTが光信号３１'を受信すると、光信号３１'に基づき、対応した電気信号３１''を発生する。
【００１３】
測定装置２２は、光伝送路終端装置OLTに電気的に接続され、電気信号３１''を測定するために用いられ、さらに、電気信号３１''に基づき、光ファイバネットワーク３の受信感度とビットエラーレートを判定する。
【００１４】
なお、測定装置２２は、例えば、エラーディテクタ(Error Detector, ED)である。測定装置２２は、信号発生装置２１に同期させるとともに、信号発生装置２１が発生したデータ信号３１を電気信号３１''と比較することによって、光ファイバネットワーク３のビットエラーレートと受信感度を得ることができる。
【００１５】
信号分配装置２３が制御信号３２を受信するとともに、光ネットワークユニットONU１〜ONUｎにそれぞれ接続される。信号分配装置２３は、シフトレジスターであり、時分割多重化方式を模擬することができ、異なるタイムスロットで、制御信号３２を光ネットワークユニットONU１〜ONUｎの何れか一つに提供し、光ネットワークユニットONU１〜ONUｎが異なるタイムスロットで、データ信号３１を光伝送路終端装置OLTに伝送して測定を行うように制御する。本実施例において、信号分配装置２３がｎ個のフリップフロップＤ１〜Ｄｎを有する。
【００１６】
フリップフロップＤ１〜ＤｎはＤ型フリップフロップであり、信号入力端子Ｉ１〜Ｉｎと、少なくとも一つの出力端子Ｑ１〜Ｑｎと一つのトリガ端子Ｃｋとを有する。フリップフロップＤ１〜Ｄｎの数が光ネットワークユニットONU１〜ONUｎの数と一致することにより、フリップフロップＤ１〜Ｄｎの出力端子Ｑ１〜Ｑｎが光ネットワークユニットONU１〜ONUｎに確実に対応することができる。
【００１７】
なお、信号分配装置２３の接続方式は、以下の通りである。フリップフロップＤ１の入力端子Ｉ１が信号発生装置２１に接続されることにより制御信号３２を受信する。フリップフロップＤ１の出力端子Ｑ１がフリップフロップＤ２の入力端子Ｉ２に、フリップフロップＤ２の出力端子Ｑ２がフリップフロップＤ３の入力端子Ｉ３に、……、フリップフロップＤｎ−１の出力端子Ｑｎ−１がフリップフロップＤｎの入力端子Ｉｎにそれぞれ接続される。さらに、フリップフロップＤ１〜Ｄｎのトリガ端子Ｃｋに共同に接続された信号発生装置２１のクロック信号３３は、フリップフロップＤ１〜Ｄｎのトリガ信号とする。また、光ネットワークユニットONU１がフリップフロップＤ１の出力端子Ｑ１に、光ネットワークユニットONU２がフリップフロップＤ２の出力端子Ｑ２に、光ネットワークユニットONU３がフリップフロップＤ３の出力端子Ｑ３に、・・・・・・、光ネットワークユニットONUｎがフリップフロップＤｎの出力端子Ｑｎにそれぞれ接続される。
【００１８】
ここで、Ｄ型フリップフロップ自身の特性によって、Ｄ型フリップフロップがトリガ信号(正のエッジトリガまたは負のエッジトリガ)を受信してから、入力端子の信号を出力端子に送信するため、これらのＤ型フリップフロップを直列に接続すると、シフトレジスターが形成される。
【００１９】
図３は、信号分配装置２３の出力信号を示す波形図である。ここで、説明を簡略にするために、出力端子Ｑ１〜Ｑ４の出力信号のみを示す。信号分配装置２３の作動方式は、以下の通りである。フリップフロップＤ１の入力端子Ｉ１が信号発生装置２１が発生した制御信号３２(ここで、例えば、制御信号３２はハイレベルの信号である)を受信した後、第１時間Ｔ１で、フリップフロップＤ１の出力端子Ｑ１が制御信号３２を光ネットワークユニットONU１に、第２時間Ｔ２で、フリップフロップＤ２の出力端子Ｑ２が制御信号３２を光ネットワークユニットONU２に、第３時間Ｔ３で、フリップフロップＤ３の出力端子Ｑ３が制御信号３２を光ネットワークユニットONU３に、第４時間Ｔ４で、フリップフロップＤ４の出力端子Ｑ４が制御信号３２を光ネットワークユニットONU４にそれぞれ提供する。これにより、信号分配装置２３が異なるタイムスロットで、制御信号３２を光ネットワークユニットONU１〜ONUｎの一つに提供し、時分割多重化方式を模擬する。
【００２０】
以下、本実施例の測定システム２の測定方法を説明する。まず、信号発生装置２１は、データ信号３１を発生し、光ネットワークユニットONU１〜ONUｎに送信する。次に、第１時間Ｔ１では、信号分配装置２３は、制御信号３２を光ネットワークユニットONU１に提供することにより、データ信号３１を光伝送路終端装置OLTに伝送するように光ネットワークユニットONU１を駆動する。続いて、第２時間Ｔ２では、信号分配装置２３は、制御信号３２を光ネットワークユニットONU２に提供することにより、データ信号３１を光伝送路終端装置OLTに伝送するように光ネットワークユニットONU２を駆動する。第３時間Ｔ３では、信号分配装置２３は、制御信号３２を光ネットワークユニットONU３に提供することにより、データ信号３１を光伝送路終端装置OLTに伝送するように光ネットワークユニットONU３を駆動する。このようにして、光ネットワークユニットONU１〜ONUｎが異なるタイムスロットでデータ信号３１を光信号３１'にそれぞれ変換し光伝送路終端装置OLTに伝送し、すなわち、時分割多重化方式を模擬することを達成する。それに、測定装置２２がさらに光伝送路終端装置OLTが発生した電気信号３１''を、信号発生装置２１が発生したデータ信号３１と比較することにより、光ファイバネットワーク３のビットエラーレートを得ることができる。そして、測定装置２２が電気信号３１''のパワーを測定することにより、光ファイバネットワーク３の受信感度を得ることができる。
【００２１】
また、測定システム２は、さらに、信号発生装置２１と信号分配装置２３との間に接続された周波数分割装置２４とを備える。信号発生装置２１が発生したクロック信号３３の周波数は、所期の周波数に符合しない可能性があるため、周波数分割装置２４は、クロック信号３３に周波数を分割することにより、適切な周波数のクロック信号３３を得た後、フリップフロップＤ１〜Ｄｎのトリガ信号として信号分配装置２３に送信する。
【００２２】
以上、本発明の実施例を図面を参照して詳述してきたが、具体的な構成は、この実施例に限られるものではなく、本発明の要旨を逸脱しない範囲の設計変更などがあっても、本発明に含まれる。
【図面の簡単な説明】
【００２３】
【図１】従来の光ファイバネットワークの測定システムを示すブロック図である。
【図２】本発明の好適な実施例における光ファイバネットワークの測定システムを示すロック図である。
【図３】本発明の好適な実施例における光ファイバネットワークの測定システムの信号分配装置の各信号を示す波形図である。
【符号の説明】
【００２４】
１・・・・光ファイバネットワーク
１１・・・光ネットワークユニット
１２・・・光伝送路終端装置
１３・・・信号発生装置
１３１・・制御信号
１３１'・・光信号
１３１''・・電気信号
１３２・・データ信号
１４・・・測定装置
２・・・・測定システム
３・・・・光ファイバネットワーク
ONU１〜ONUｎ・・・光ネットワークユニット
OLT・・・光伝送路終端装置
２１・・・信号発生装置
２２・・・測定装置
２３・・・信号分配装置
２４・・・周波数分割装置
３１・・・データ信号
３１'・・・光信号
３１''・・・電気信号
３２・・・制御信号
３３・・・クロック信号
Ｄ１〜Ｄｎ・・・フリップフロップ
Ｉ１〜Ｉｎ・・・信号入力端子
Ｑ１〜Ｑｎ・・・出力端子
Ｃｋ・・・トリガ端子
Ｔ１・・・第１時間
Ｔ２・・・第２時間
Ｔ３・・・第３時間
Ｔ４・・・第４時間
【図１】
2007132945.tif 000003
【図２】
2007132945.tif 000004
【図３】
2007132945.tif 000005